(57)【要約】【課題】余裕のない設置空間であっても、神棚と仏壇を選択的に前面から臨ませることができる神仏合祀用神仏具を提供する。【解決手段】外枠２と、外枠２内に回転可能に収容された回転体３と、回転体３の回転を係止する係止手段６０とを備えてなり、回転体３は、円盤状の回転台３３と、回転台３３の上面３３ａに備えた箱体Ｂと、箱体Ｂの内部に備えた神札収容部４と、神札収容部４と背合わせに備えた本尊収容部５と、回転台３３の下面３３ｂに突出した回転軸３４と、前記回転台３３を回転させる回転手段３０とを備え、外枠２は、その床部２６に形成され、回転軸３４を回転可能に保持する回転軸用保持穴２７と、回転台３４の周囲に、回転台３４の上面と同一平面をなして配される段差部２８，２９とを備え、係止手段６０は、回転体３３の回転を所定の位置で係止すべく、少なくとも一部が前記回転体３３の周面３３ａと摺接する前記段差部２８，２９である。【選択図】    図９
0003118943.tif 000002
【実用新案登録請求の範囲】
【請求項１】
外枠と、
該外枠内に回転可能に収容された回転体と、
を備えてなり、
前記回転体は、神札収容部および本尊収容部を背合わせに配設している
ことを特徴とする神仏合祀用神仏具。
【請求項２】
外枠と、
該外枠内に回転可能に収容された回転体と、
を備えてなり、
前記回転体は、神札収容部および本尊収容部を背合わせに配設するとともに、
係止手段によって所定の位置に係止されることを特徴とする神仏合祀用神仏具。
【請求項３】
外枠と、
該外枠内に回転可能に収容された回転体と、
前記回転体の回転を所定の位置で係止する係止手段と、
を備えてなり、
前記回転体は、神札収容部および本尊収容部を背合わせに配設し、
前記外枠は、
前記回転体の周囲に配される段差部を備え、
前記係止手段は、
前記回転体の回転を所定の位置で係止すべく、少なくとも一部が前記回転体の周面と摺接する前記段差部である
ことを特徴とする神仏合祀用神仏具。
【請求項４】
外枠と、
該外枠内に回転可能に収容された回転体と、
前記回転体の回転を所定の位置で係止する係止手段と、
を備えてなり、
前記回転体は、神札収容部および本尊収容部を背合わせに配設し、
外枠は、
前記回転体の周囲に配される段差部を備え、
前記係止手段は、
前記段差部と前記回転体の周面とのいずれか一方に備えられた凹部と、
他方に備えられた前記凹部に嵌合可能に出没する係止部材とで構成され、
前記凹部に前記係止部材が嵌合して、前記回転台の回転を係止するように構成されている
ことを特徴とする神仏合祀用神仏具。
【請求項５】
外枠と、
該外枠内に回転可能に収容された回転体と、
を備えてなり、
前記回転体は、
背合わせに配設した神札収容部および本尊収容部と、
前記回転体を回転させる回転手段とを備えた
ことを特徴とする神仏合祀用神仏具。
【請求項６】
外枠と、
該外枠内に回転可能に収容された回転体と、
を備えてなり、
前記回転体は、
背合わせに配設した神札収容部および本尊収容部と、
前記回転体を回転させる回転手段とを備え、
前記回転手段は、
前記回転体の周面の所定箇所に夫々の一端が固定され、該固定された夫々の一端から非対向方向の周面に沿うとともに、回転体の外方に引き出された夫々の他端を有する一対の紐体である
ことを特徴とする神仏合祀用神仏具。
【請求項７】
外枠と、
該外枠内に回転可能に収容された回転体と、
前記回転体の回転を所定の位置で係止する係止手段と、
を備えてなり、
前記回転体は、
円盤状の回転台と、
該回転台の上面に備えた箱体と、
前記箱体の内部に備えた神札収容部と、
前記神札収容部と背合わせに備えた本尊収容部と、
前記回転台の下面から鉛直方向下向きに突出した回転軸と、
前記回転軸を中心に前記回転台を回転させる回転手段とを備え、
前記外枠は、
前記外枠の床部に形成され、前記回転台の回転軸を回転可能に保持する回転軸用保持穴と、
前記回転軸用保持穴に前記回転台の回転軸を保持した場合に、前記回転台の周囲に、前記回転台の上面と同一平面をなして配される段差部とを備え、
前記係止手段は、
前記回転体の回転を所定の位置で係止すべく、少なくとも一部が前記回転体の周面と摺接する前記段差部である
ことを特徴とする神仏合祀用神仏具。
【請求項８】
外枠と、
該外枠内に回転可能に収容された回転体と、
前記回転体の回転を所定の位置で係止する係止手段と、
を備えてなり、
前記回転体は、
円盤状の回転台と、
前記回転台の下面に同軸に備えられ、前記回転台よりも小径の回転手段配設部材と、
該回転台の上面に備えた箱体と、
前記箱体の内部に備えた神札収容部と、
前記神札収容部と背合わせに備えた本尊収容部と、
前記回転手段配設部材の下面から鉛直方向下向きに突出した回転軸と、
前記回転軸を中心に前記回転台を回転させる回転手段とを備え、
前記外枠は、
前記外枠の床部に形成され、前記回転軸を回転可能に保持する回転軸用保持穴と、
前記回転軸用保持穴に前記回転軸を保持した場合に、前記回転台の周囲に、前記回転台の上面と同一平面をなして配される段差部とを備え、
前記回転手段は、
前記回転手段配設部材の周面の所定箇所に夫々の一端が固定され、該固定された夫々の一端から非対向方向の前記周面に沿うとともに、外枠の外側若しくは前記段差部の前方に引き出された夫々の他端を有する一対の紐体からなり、
前記係止手段は、
前記回転体の回転を所定の位置で係止すべく、前記紐体を係止する係止部材である
ことを特徴とする神仏合祀用神仏具。
【考案の詳細な説明】
【技術分野】
【０００１】
本考案は、神道の神札を祀る神棚と、仏教の本尊を祀る仏壇とを選択的に前面から臨ませることが可能な神仏具に関するものである。
【０００２】
近年の我が国の神仏信仰においては、神棚は神道の宗教用の祭壇であって、神社の建築様式を模した箱体の宮形を安置し、その宮形の内部には神札（お神札：おふだ）が祀られる。また、仏壇は仏教の宗教用の仏具であって、本尊として釈迦や仏の像や、それらの描かれた掛け軸が祀られるものである。所謂、神仏分離の状態で別個の宗教として祀るしきたりである。
しかし、古来の神仏信仰では、神道の神様と仏教の仏様とには隔たりが無く、神仏混合の状態で祀られていた経緯があり、そのような経緯を受けて、一般の家庭においては、宗教の種別を超えて、通常、天井から吊った棚には神棚を設置し、さらに、仏間には仏壇を設置して、神様と仏様である本尊とをそれぞれ祀るような慣習がある。
【０００３】
ところが、近年の住宅事情では、居住空間に制限を抱える傾向が大きく、居住空間に仏間を備えることが困難であったり、特にマンション等の賃貸住宅の場合では、賃貸契約の関係で、天井や壁に釘を打ち付けて神棚のための棚を設置することさえも不可能であったりする場合が非常に多い。
このような場合には、神棚や仏壇を祀ることをあきらめるか、小型の仏壇か神棚のどちらか一方を選んで居間等に設置して祀らねばならないという問題があった。
【０００４】
特許文献１には、神棚と仏壇を背合わせに配置し、回転可能な台に載置することによって神棚と仏壇とを選択的に前面に配することを可能にした仏壇兼神棚が開示されており、スペースの効率的利用を図っている。
【特許文献１】実用新案登録第３０９９５６７号公報
【考案の開示】
【考案が解決しようとする課題】
【０００５】
しかし、特許文献１は、神棚と仏壇の全体を回転させるので、大きな回転空間を必要とし、その重量を回転可能に支える回転手段も大型化する。さらに、神棚および仏壇を臨ませる開口や扉を複数備える必要がある。
また、例えば、神棚と仏壇を背合わせにして直方体の箱体を形成した場合には、その箱体が４５度回転したときに箱体の角部分が設置空間の前後左右方向に張り出してしまう。従って、そのような神棚と仏壇を箱体がぴったりと収まる空間に設置してしまった場合には、神棚と仏壇を回転させることができなくなるので、その前後左右には、十分な空間を確保しなければならないなどの不都合が残されている。
本考案は、このような不都合を一掃して、余裕のない設置空間であっても、神棚と仏壇を選択的に前面から臨ませることができる神仏合祀用神仏具を提供することを目的とする。
【課題を解決するための手段】
【０００６】
上記課題を達成するために、本考案は、外枠と、該外枠内に回転可能に収容された回転体とを備えてなり、前記回転体は、神札収容部および本尊収容部を背合わせに配設していることを特徴とする神仏合祀用神仏具としたことである。
【０００７】
さらに本考案は、外枠と、該外枠内に回転可能に収容された回転体とを備えてなり、前記回転体は、神札収容部および本尊収容部を背合わせに配設するとともに、係止手段によって所定の位置に係止されることを特徴とする神仏合祀用神仏具とすることもできる。
【０００８】
さらに本考案は、外枠と、該外枠内に回転可能に収容された回転体と、前記回転体の回転を所定の位置で係止する係止手段とを備えてなり、前記回転体は、神札収容部および本尊収容部を背合わせに配設し、前記外枠は、前記回転体の周囲に配される段差部を備え、前記係止手段は、前記回転体の回転を所定の位置で係止すべく、少なくとも一部が前記回転体の周面と摺接する前記段差部であることを特徴とする神仏合祀用神仏具とすることもできる。
【０００９】
さらに本考案は、外枠と、該外枠内に回転可能に収容された回転体と、前記回転体の回転を所定の位置で係止する係止手段とを備えてなり、前記回転体は、神札収容部および本尊収容部を背合わせに配設し、外枠は、前記回転体の周囲に配される段差部を備え、前記係止手段は、前記段差部と前記回転体の周面とのいずれか一方に備えられた凹部と、他方に備えられた前記凹部に嵌合可能に出没する係止部材とで構成され、前記凹部に前記係止部材が嵌合して、前記回転台の回転を係止するように構成されていることを特徴とする神仏合祀用神仏具とすることもできる。
【００１０】
さらに本考案は、外枠と、該外枠内に回転可能に収容された回転体とを備えてなり、
前記回転体は、背合わせに配設した神札収容部および本尊収容部と、前記回転体を回転させる回転手段とを備えたことを特徴とする神仏合祀用神仏具とすることもできる。
【００１１】
さらに本考案は、外枠と、該外枠内に回転可能に収容された回転体とを備えてなり、前記回転体は、背合わせに配設した神札収容部および本尊収容部と、前記回転体を回転させる回転手段とを備え、前記回転手段は、前記回転体の周面の所定箇所に夫々の一端が固定され、該固定された夫々の一端から非対向方向の周面に沿うとともに、回転体の外方に引き出された夫々の他端を有する一対の紐体であることを特徴とする神仏合祀用神仏具とすることもできる。
【００１２】
さらに本考案は、外枠と、該外枠内に回転可能に収容された回転体と、前記回転体の回転を所定の位置で係止する係止手段とを備えてなり、前記回転体は、円盤状の回転台と、該回転台の上面に備えた箱体と、前記箱体の内部に備えた神札収容部と、前記神札収容部と背合わせに備えた本尊収容部と、前記回転台の下面から鉛直方向下向きに突出した回転軸と、前記回転軸を中心に前記回転台を回転させる回転手段とを備え、前記外枠は、前記外枠の床部に形成され、前記回転台の回転軸を回転可能に保持する回転軸用保持穴と、前記回転軸用保持穴に前記回転台の回転軸を保持した場合に、前記回転台の周囲に、前記回転台の上面と同一平面をなして配される段差部とを備え、前記係止手段は、前記回転体の回転を所定の位置で係止すべく、少なくとも一部が前記回転体の周面と摺接する前記段差部であることを特徴とする神仏合祀用神仏具とすることもできる。
【００１３】
さらに、本考案は、外枠と、該外枠内に回転可能に収容された回転体と、前記回転体の回転を所定の位置で係止する係止手段とを備えてなり、前記回転体は、円盤状の回転台と、前記回転台の下面に同軸に備えられ、前記回転台よりも小径の回転手段配設部材と、該回転台の上面に備えた箱体と、前記箱体の内部に備えた神札収容部と、
前記神札収容部と背合わせに備えた本尊収容部と、前記回転手段配設部材の下面から鉛直方向下向きに突出した回転軸と、前記回転軸を中心に前記回転手段配設部材を回転させる回転手段とを備え、前記外枠は、前記外枠の床部に形成され、前記回転軸を回転可能に保持する回転軸用保持穴と、前記回転軸用保持穴に前記回転軸を保持した場合に、前記回転台の周囲に、前記回転台の上面と同一平面をなして配される段差部とを備え、前記回転手段は、前記回転手段配設部材の周面の所定箇所に夫々の一端が固定され、該固定された夫々の一端から非対向方向の前記周面に沿うとともに、外枠の外側若しくは前記段差部の前方に引き出された夫々の他端を有する一対の紐体からなり、
前記係止手段は、前記回転体の回転を所定の位置で係止すべく、前記紐体を係止する係止部材であることを特徴とする神仏合祀用神仏具とすることもできる。
【考案の効果】
【００１４】
本考案によれば、余裕のない設置空間であっても、神棚と仏壇を選択的に前面から臨ませることができる神仏合祀用神仏具を提供することができるようになった。
【考案を実施するための最良の形態】
【００１５】
以下、本考案の一実施の形態に係る神仏合祀用祭壇について、図にもとづいて説明する。なお、本実施形態は本考案の一実施形態にすぎず、何等これらに限定して解釈されるものではなく、本考案の範囲内で設計可能である。
【実施例１】
【００１６】
本考案による神仏合祀用神仏具１の実施例１を図１乃至図１０に示す。
なお、図３は、図１のＡ−Ａ線による縦断右側面図であり、図４は、外枠２と回転体３の位置関係を説明する横断平面図である。
本実施例１の神仏合祀用神仏具１は、外枠２と回転体３とで構成される。
外枠２は、本実施例１では、天井部２３及び台部２４、天井部２３を支える柱２１ａ，２１ｂ，２１ｃ，２１ｄと、その柱２１ａと柱２１ｂとの間に嵌め込まれる右壁２２ａ，柱２１ｂと柱２１ｃとの間に嵌め込まれる後壁２２ｂ、柱２１ｃと柱２１ｄ壁との間に嵌め込まれる左壁２２ｃとからなる中空の箱形に形成される。
そして、その箱形に形成された外枠２の内部空間が後述する回転体３を収容する回転体収容空間２ａを構成する。
本実施例１による外枠２は、前記回転体収容空間２ａを構成する領域とともに、装飾部分を構成する領域をも備えており、前記回転体収容空間２ａは、外枠２の内部に水平に配される床板（床部）によって、前記装飾部分と区画されている。
【００１７】
なお、本実施例１で図示説明する装飾部分の一例として、前記床板の下方に配され、手前側に引き出し可能な（図３矢印Ｅ参照）引出し２５ｃ、その引出し２５ｃの下方に配されて手前側に引き出し可能な（図３矢印Ｆ参照）板状体からなる供物台２５ｄ、天井部２３の下縁に沿って外枠２の全周にわたって配される縁飾り２５ａ、手前側の柱２１ａ、２１ｄの後面上端に配され、外枠２の正面視上部に臨む欄間２５ｂ、そして外枠２の手前側の一対の柱２１ａと柱２１ｄに備えられ、開放時に手前側から外枠２の内部を臨む両開きの扉２１ｅ，２１ｆ（図中破線部分参照）を挙げることができる。
なお、これら装飾部分の一例として挙げた装備は一例であって、これに限られず、装飾は、外枠２の手前側から前記回転体収容空間２ａが臨む限りにおいて、需要に応じて自由に変更可能である。
【００１８】
前記回転体収容空間２ａの床板の上面２６ａの奥側には、図４に示すように、右壁２２ａと後壁２２ｂに接して右段差部２８が配され、左壁２２ｃと後壁２２ｂに接して左段差部２９が配される。
そして、前記床板には、後述する円板状の回転台３３（図４中破線参照）がその円心を中心に回転可能に被せられ、前記右段差部２８と左段差部２９の対向面２８ｃ，２９ｃには、その回転台３３との接触を避けるために形成された湾曲状の切り欠き２８ｂ，２９ｂが備えられる。
なお、前記床板には、被せられる前記回転台３３の円心に当る位置には、前記回転台３３の回転軸３４を回転可能に保持する回転軸用保持穴２７が備えられている。
また、本実施例１では、回転体３の回転を係止する係止手段６０として、前記右段差部２８の切り欠き２８ｂの手前側端面２８ａと、左段差部２９の切り欠き２９ｂの手前側端面２９ａとが、前記回転台３３の周面と摺接するものとしている。このようにした係止手段は、前記切り欠き２８ｂの手前側端面２８ａと、前記切り欠き２９ｂの手前側端面２９ａとの距離が、回転台３３に僅かに当接する距離Ｃに設定されている。
【００１９】
次に、前記回転体収容空間２ａに収容される回転体３について説明する。
前記回転体収容空間２ａから取り出した回転体３の外観を図３及び図５乃至図１２に示し、図３は、図１のＡ−Ａ線による断面図で、回転体３の縦断右側面図を示す。
【００２０】
回転体３は、神社の建築様式を模した所謂宮形をしている縦長で内部が中空の箱体Ｂと、前記箱体Ｂの下面に一体に固定され、前記外枠２の床板の上面２６ａに回転可能に被される円形板からなる回転台３３とで構成されている。
箱体Ｂは、例えば図９に示すように横断面視コの字形に連結した右壁３１ａ，左壁３１ｃ，後壁３１ｂと、前記横断面視コの字形の開放側３１ｅに両開きに配される右扉３４ａ，左扉３４ｂと、例えば図３に示すように回転体３の上部に固定して配される屋根部３５と、前記各壁の下端に固定される床部３２とで形成される。
【００２１】
前記右扉３４ａ及び左扉３４ｂは、夫々右壁３１ａ及び左壁３１ｃの手前側端部の対向側付近を回転中心として配され、右扉３４ａ及び左扉３４ｂを閉じた場合には、略単一平面をなして回転体３の開放側３１ｅを閉鎖する。
そして、前記右扉３４ａ及び左扉３４ｂが閉鎖された場合の手前側面には、装飾として装飾金物を模した部材が貼付されている（以下、この面を装飾面ともいう。）。
前記屋根部３５は、手前側に向けて下向きの傾斜をもって配され、前記屋根部３５は、装飾として、上面３５ａが階段状に形成されるとともに、手前側の下面３５ｂには垂木が手前側から臨むように配されている。
床部３２は、前記横断面視コの字形に形成されている箱形Ｂの平面領域よりも広い四角形の平面領域を有する板状体に形成され、その床部３２の上面には、前記右壁３１ａ，左壁３１ｃ，後壁３１ｂが固定されている。
【００２２】
回転台３３は、前記床部３２よりも大径で、かつ所定厚みをもって形成された円板形状を有するとともに、その円心から鉛直方向下向きに突出する回転軸３４を下面３３ｂに一体に設けている。そして、前記回転台３３の上面には、前記箱形Ｂの床部３２の中心と前記回転軸３４とが鉛直状に重なるように前記箱形Ｂが固定されている。
回転台３３の所定の厚みとは、前記回転体収容空間２ａ内の右段差部２８の切り欠き２８ｂと、左段差部２９の切り欠き２９ｂ間で形成される領域Ｉ内に、回転台３３が回転可能に収容された際に、該回転台３３の上面が、前記右段差部２８の上面２８ｃ及び左段差部２９の上面２９ｃと同一平面若しくは略同一平面となる厚さをいう。
【００２３】
なお、本実施例では、上述した通り、回転台３３の上面が、前記右段差部２８の上面２８ｃ及び左段差部２９の上面２９ｃと同一平面若しくは略同一平面となるように構成しているが、本発明はこれに限定解釈されるものではなく、回転台３３の上面が、前記右段差部２８の上面２８ｃ及び左段差部２９の上面２９ｃと段差状になるように回転台３３の厚さを設計変更することも可能である。
【００２４】
また、前記回転台３３の上面の外周側には、回転台３３の回転手段３０として、複数の突起部３６を有している。その突起部３６は、どのような形状でも良いが、本実施例１では擬宝珠（ぎぼし）を模した形状としている。
そして、回転体３は、回転台３３の回転軸３４を、前記外枠２の回転体収容空間２ａの床板に設けられた回転軸用保持穴２７に差し込んで収容される。
【００２５】
回転体３の内部、すなわち、前記横断面視コの字形の箱形Ｂの内部３１ｅは、図３、図６、図８乃至図１０に示すように、神札収容部４として機能する。
なお、図９及び図１０は、図４と同様に、外枠２と回転体３の位置関係を説明する横断平面図である。
【００２６】
神札収容部４は、所定の神札４１が収容可能な空間領域を箱形Ｂ内に有していれば良く、本実施例では、回転体３を構成する箱形Ｂの内側の後壁３１ｂに神札４１が立てかけられて安置される。そして、回転体３の扉３４ａ，３４ｂを開放した場合には、前記神札４１を回転体３の開放側から臨むことができる。
さらに、前記回転体３の背面側、すなわち、前記回転体３を構成する箱形Ｂの後壁３１ｂの裏面３１ｄは、図３、図７及び図９に示すように、本尊収容部５として機能する。
【００２７】
本尊収容部５は、本実施例１では、前記後壁３１ｂの裏面３１ｄの上部にフック５３を備えて構成されている。すなわち、例えば本実施例の本尊収容部５に安置される本尊は、上部に吊下げ紐５２を備え、本尊を描いた掛け軸５１（以下本尊５１ともいう）が対象とされ、その吊下げ紐５２を前記フック５３に引っ掛けることによって、本尊５１が、箱形Ｂの後壁３１ｂの裏面３１ｄに安置される。
【００２８】
このように構成された回転体３を、その回転体３を構成する箱形Ｂ内の神札収容部４を手前側に向けて、外枠２の回転体収容空間２ａに収容した場合には、図１に示すように、外枠２の手前側から前記箱形Ｂ内の神札収容部４が臨む。なお、この場合には前記回転体３を構成する箱形Ｂの扉３４ａ，３４ｂを閉鎖しているので、扉３４ａ，３４ｂの手前面側（装飾面側）が臨むが、図６に示すように、前記回転体３を構成する箱形Ｂの扉３４ａ，３４ｂを開放した場合には、神札４１を、外枠２の手前側から臨むことができる。
また、本尊収容部５を外枠２の手前側から臨ませる場合には、例えば、図１０に示すように、まず、前記回転体３を構成する箱形Ｂの扉３４ａ，３４ｂを閉鎖した後に、回転台３３の上面に配される複数の突起部３６（回転手段３０）のうちのひとつを手指で摘まんで、回転軸３４を中心として左右所望の方向（図中矢印Ｆ参照）に回転体３を水平方向に回転させる。
これにより箱形Ｂは、回転台３３と伴なって回転し、回転台３３が１８０度回転したときに、箱形Ｂの裏面３１ｄに備えた本尊収容部５を外枠２の手前側から臨むことが可能となる。
【００２９】
このように、本実施例１によれば、回転体３を回転させることによって、神札収容部４と本尊収容部５を選択的に外枠２の手前側から臨ませることができる。
また、前記回転体３の回転を係止する係止手段６０として、前記外枠２の右段差部２８の切り欠き２８ｂの手前側端面２８ａと、左段差部２９の切り欠き２９ｂの手前側端面２９ａとの距離が、回転台３３に僅かに当接する距離Ｃに設定されているので、前記手前側端面２８ａ，２９ａと回転台３３の周面との間に接触抵抗が生じる。従って、回転台３３は、所定の外力で回転させられた場合を除いて、前記接触抵抗によって、所望の回転位置で係止させることが可能である。
さらに、外枠２が回転しない構成であるので、収容スペースの制約を受けることがなく、例えば、外枠２の外形寸法よりも僅かに広く、外枠２を殆ど隙間無く収容可能な収容空間に配設した場合であっても、神札４１と本尊５１を選択的に手前から臨み拝むことができる。
（変形例１）
【００３０】
本実施例１による神仏合祀用神仏具１では、本尊収容部５を前記回転体３の後壁３１ｂの裏面３１ｄに配して、その後壁３１ｂの裏面３１ｄに本尊５１として本尊を描いた掛け軸を吊下げているが、本変形例１では、前記後壁３１ｂの裏面３１ｄの床部３２ａに、仏像形式の本尊（釈迦や仏の像）を安置しても良い。
その場合には、前記回転体３の右壁３１ａ及び左壁３１ｂの奥行き長さ（図８中距離Ｄ参照）を短く形成するとともに、前記後壁３１ｂの裏面３１ｄの床部３２ａを回転台３３の周面方向に延設することによって、本尊の像が安定して安置されるのに充分な面積が確保され、前記床部３２ａが本尊収容部５として機能する。
但し、前記床部３２ａは、回転台３３の外周からはみ出さない程度に延設されることを要する。なお、本尊収容部５は、本実施例に限定されるものではなく、例えば図示はしないが、箱形Ｂの裏側領域において、所定の収容空間を有する箱形に形成されている構成を採用し、その収容空間領域に前記本尊５１を安置したり、仏像形式の本尊などを安置したりすることも可能で本発明の範囲内である。
その他の構成及び効果は実施例１と同様であるので説明を割愛する。
【実施例２】
【００３１】
本実施例２による神仏合祀用神仏具１の回転台３３と、外枠２の床板に配される右段差部２８および左段差部２９との関係を図１１に示す。
本実施例２による神仏合祀用神仏具１は、回転台３３の回転を係止する係止手段６０が実施例１と相違する。
なお、その他の構成及び効果は実施例１と同様であるので説明を割愛し、ここでは、本実施例２の特徴部分である係止手段６０について説明する。
【００３２】
本実施例２の係止手段６０は、回転台３３の周面に備えられた凹部７１ａ，７１ｂと、右段差部２８の切り欠き２８ｂに備えられ、前記回転台３３の周面に向けて、前記凹部７１ａ，７１ｂと嵌合可能に出没する係止部材７５とで構成されている。
前記凹部７１ａは、神札収容部４が手前側正面に臨むように回転体３を係止した場合に、前記回転台３３の周面であって、神札収容部４の正面からみて右側９０度の位置に配され、前記凹部７１ｂは、神札収容部４が手前側正面に臨むように回転体３を係止した場合に、前記回転台３３の周面であって、神札収容部４の正面からみて左側９０度の位置に配されている。
前記凹部７１ａ及び７１ｂの形状は、なだらかなＶ字形状であって、そのＶ字形上の頂点が回転台３３の回転中心に向けて形成されている。
【００３３】
係止部材７５は、前記右段差部２８の切り欠き２８ｂにあけられた穴部７２と、その穴部７２の奥側に収容される弾性体７３と、前記穴部７２の開口側に配される凸部材７４とで構成される。
前記穴部７２は、神札収容部４が手前側正面に臨むように回転体３を係止した場合に、前記回転台３３の周面の凹部７１ａと対向するように、前記右段差部２８の切り欠き２８ｂの湾曲状端面２８ｈに設けられた円筒状の穴部であり、後述する弾性体７３の動作を損なわず、さらに、前記凸部材７４の円滑な出没が実現可能な幅方向の断面形状及び深さを有している。
【００３４】
前記弾性体７３は、前記回転台３３の円心方向に向けた付勢力を有する弾性体であって、例えば、前記弾性体７３が円柱状に巻かれた巻きバネである場合には、穴部７２の円筒状の径よりも僅かに小径に形成される。
なお、本実施例では、一例として、巻きバネを採用するが、前記付勢力を有する限りにおいて他の弾性体であっても良く、例えば板バネであってもよい。但し、その場合には、選択された弾性体の特性に合わせて穴部７２の形状も変更される。
前記凸部材７４は、前記穴部７２に内に摺動可能に収容される円筒部と、該円筒部の先端側に配され、前記穴部７２の開口側から出没する滑らかな円弧状の形状を有する円弧状の端部７４ａを有している。
なお、前記凸部材７４は、前記円筒部の穴部７２の奥側の端部７４ｂが、前記弾性体７４と当接して前記回転台３３の円心方向に向けて付勢力が与えられている。
【００３５】
そして、前記右段差部２８と左段差部２９との間に回転台３３を配した場合には、凸部材７４は前記弾性体７３によって与えられた付勢力によって、その端部７４ａが一定の付勢力で前記回転台３３の周面に押し付けられる。
さらに、前記回転体３の神札収容部４が手前側から臨む角度となった場合には、前記回転台３３の凹部７１ａと前記前記凸部材７４の端面７４ａとが係合し、前記回転体３の本尊収容部５が手前側から臨む角度となった場合には、前記回転台３３の凹部７１ｂと前記凸部材７４の端面７４ａとが係合する。
また、前記凸部材７４に加えられた一定の付勢力は、前記凸部材７４の端面７４ａが、前記凹部７１ａ又は７１ｂに留まろうとする力として作用して、この力が前記回転体３の回転を係止する機能を発揮する。さらに、その力は、回転台３３に一定の回転力が与えられて、前記凸部材７４の端面７４ａが、凹部７１ａ又は７１ｂのなだらかなＶ字形状の縁部を乗り越えるまで作用する。従って、回転台３３は、凹部７１ａ又は７１ｂが設けられた１８０度の位置で係止されることとなる。
【００３６】
なお、本実施例２では、係止部材７５を右段差部２８にのみ備えているが、係止部材７５は、左段差部２９に備えられていても良く、さらには、右段差部２８と左段差部２９の両方に備えられていても良い。
【実施例３】
【００３７】
本実施例３による神仏合祀用神仏具１の回転台３３と、外枠２の床板に配される右段差部２８および左段差部２９との関係を図１２に示す。
本実施例３による神仏合祀用神仏具１は、回転台３３を回転させる回転手段３０及びその回転を係止する係止手段６０が、実施例１と相違する。
なお、その他の構成及び効果は実施例１と同様であるので説明を割愛し、ここでは、本実施例３の特徴部分である回転手段３０及び係止手段６０について説明する。
【００３８】
本実施例３は、回転手段３０として、紐体１０１および紐体１０２を備え、係止手段６０として、紐止め２８ｇおよび紐止め２９ｇを備えている。
前記紐体１０１の一端１０１ａおよび紐体１０２の一端１０２ａは、回転台３３の周面の一点に設けた紐体固定部３３ｃに固定される。なお、前記回転台３３の紐体固定部３３ｃは、周面を神札収容部４が手前側正面に臨むように回転体３を係止した場合に、前記周面の神札収容部４の正面からみて左側９０度の位置に配されている。なお、本実施例３では、一例として紐体１０１および紐体１０２をそれぞれ別部材として構成しているが、前記紐体１０１の一端１０１ａおよび紐体１０２の一端１０２ａが連続しているものであっても良い。
さらに、前記紐体１０１および紐体１０２の中間部分は、前記紐体固定部３３ｃからそれぞれ非対向方向に配され、他端１０１ｂは、前記右段差部２８の手前側の外方に配され、他端１０２ｂは、前記左段差部２９の手前側の外方に配されている。
【００３９】
外枠２の右段差部２８はパイプ状の空洞部２８ｆを備える。そのパイプ状の空洞部２８ｆの一端側開口部２８ｄは、前記回転台３３の周面と対面する右段差部２８の切り欠き２８ｂの面上であって、神札収容部４が手前側正面に臨むように回転体３を係止した場合に神札収容部４の正面からみて右側９０度となる位置２８ｄに開口し、パイプ状の空洞部２８ｆの他端側開口部２８ｉは、右段差部２８の手前側面２８ｅに開口し、前記一端側開口部２８ｄと他端側開口部２８ｉは水平に連結されている。さらに、前記空洞部２８ｆは、前記紐体１０１が円滑に通過可能であって把持部１０１ｃが通過できない径に形成されている。
外枠２の左段差部２９はパイプ状の空洞部２９ｆを備える。そのパイプ状の空洞部２９ｆの一端側開口部２９ｄは、前記回転台３３の周面と対面する左段差部２９の切り欠き２９ｂの面上であって、神札収容部４が手前側正面に臨むように回転体３を係止した場合に神札収容部４の正面からみて左側９０度となる位置２９ｄに開口し、パイプ状の空洞部２９ｆの他端側開口部２９ｉは、左段差部２９の手前側面２９ｅに開口し、前記一端側開口部２９ｄと他端側開口部２９ｉは水平に連結されている。さらに、その空洞部２９ｆは、前記紐体１０２が円滑に通過可能であって把持部１０２ｃが通過できない径に形成されている。
【００４０】
そして、紐体１０１は、その一端１０１ａが固定された紐体固定部３３ｃから前記回転台３３の周面に沿って右側へと誘導され、その他端１０１ｂが、右段差部２８の切り欠き２８ｂの空洞部２８ｆを経由して右段差部２８の手前側面２８ｅから外方に位置する。紐体１０２は、その一端１０２ａが固定された紐体固定部３３ｃから前記回転台３３の周面に沿って左側へと誘導され、その他端１０２ｂが、左段差部２９の切り欠き２９ｂの空洞部２９ｆを経由して左段差部２９の手前側面２９ｅから外方に位置する。
また、前記紐体１０１の他端１０１ｂには、把持部１０１ｃが備えられ、前記紐体１０２の他端１０２ｂには、把持部１０２ｃが備えられている。
【００４１】
なお、前記パイプ状の空洞部２８ｆ，２９ｆの他端側開口部２８ｉ，２９ｉは、本実施例では、右段差部２８および左段差部２９の手前側面２８ｅ，２９ｅへ開口するように備えられているが、前記空洞部２８ｆ，２９ｆが開口する場所は、これに限定されるものではなく、紐体１０１，１０２の把持部１０１ｃ，１０２ｃを引いて、回転体３３を円滑に回転させることが可能な限りにおいて、右段差部２８および左段差部２９のどの場所に開口しても良い。
例えば、空洞部２８ｆは、神札収容部４の正面からみて右側９０度となる位置２８ｄと右段差部２８の奥側面（後ろ側）とを水平に連結し、空洞部２９ｆは、神札収容部４の正面からみて左側９０度となる位置２９ｄと左段差部２９の奥側面（後ろ側）とを水平に連結するように備えられていても良い。
【００４２】
紐止め２８ｇは、右段差部２８の手前側面２８ｅに備えられ、紐止め２９ｇは、左段差部２９の手前側面２９ｅに備えられている。
前記紐止め２８ｇおよび紐止め２９ｇは、Ｔ字形の突起部として備えられ、紐止め２８ｇのＴ字形の突起部には、前記紐体１０１の他端１０１ｂが巻き付けられ、紐止め２９ｇのＴ字形の突起部には、前記紐体１０２の他端１０２ｂが巻き付けられる。
なお、本実施例３では、前記紐止め２８ｇおよび紐止め２９ｇとして、Ｔ字形の突起部を採用しているが、前記紐体１０１および紐体１０２を係止可能であれば他の係止手段であっても良い。例えば、フックに前記紐体１０１および紐体１０２を引っ掛けて係止するものであっても良い。
【００４３】
このような構成では、紐体１０２の把持部１０２ｃを手前側に引いた場合には、回転台３３は、紐体１０１を回転台３３の周面に巻き取りながら左回転（図中矢印Ｇ参照）する。また、紐体１０１の把持部１０１ｃを手前側に引いた場合には、回転台３３は、紐体１０２を回転台３３の周面に巻き取りながら右回転（図中矢印Ｈ参照）する。
例えば、回転体３を神札収容部４が手前側から臨むべく左回転させた場合には、紐体１０１は、回転台３３の周面に巻き取られ、その他端１０１ｂの把持部１０１ｃが、前記右段差部２８の手前側面２８ｅに当接して、回転台３３がさらに左回転することを防止する。そして、紐体１０２の他端１０２ｃを前記紐止め２９ｇに巻きつけて、回転体３の回転を係止する。
このときには、紐体１０２の一端１０２ａが固定された紐体固定部３３ｃと空洞部２９ｆの一端側開口部２９ｄが最短距離で対向することとなり、この位置関係で紐体１０２が係止されることによって、回転台３３の左右回転が確実に係止され、その係止が解かれるまで、回転体３の神札収容部４は手前側から臨む位置に留まる。
同様に、回転体３を本尊収容部５が手前側から臨むべく右回転させた場合には、紐体１０２は、回転台３３の周面に巻き取られ、その他端１０２ｂの把持部１０２ｃが、前記左段差部２９の手前側面２９ｅに当接して、回転体３がさらに右回転することを防止する。そして、紐体１０１の他端１０１ｃを前記紐止め２８ｇに巻きつけて、回転体３の回転を係止する。
このときには、紐体１０１の一端１０１ａが固定された紐体固定部３３ｃと空洞部２８ｆの一端側開口部２８ｄが最短距離で対向することとなり、この位置関係で紐体１０１が係止されることによって、回転台３３の左右回転が確実に係止され、その係止が解かれるまで、回転体３の本尊収容部５は手前側から臨む位置に留まる。
【実施例４】
【００４４】
本実施例４による神仏合祀用神仏具１の回転台３３と、外枠２の床板に配される右段差部２８および左段差部２９と、外枠２の右壁２２ａおよび左壁２２ｃの関係を図１３および図１４に示す。なお、図１３は平面図であり、図１４は図１４のＪ−Ｊ線に沿った断面図である。
本実施例４による神仏合祀用神仏具１は、回転台３３よりも小径の回転手段配設部材３３ｊが回転台３３の下面に同軸に備えられ、回転軸３４が回転手段配設部材３３ｊの下面に備えられる点が実施例３と相違する。さらに、回転台３３が回転可能に被される外枠２の床板の上面２６ａの形状と、右段差部２８および左段差部２９にそれぞれ配されるパイプ状の空洞部２８ｆ，２９ｆの向きが実施例３と相違し、さらに、それらの構成に伴なって、紐体１０１および紐体１０２の配置が実施例３と相違する。
なお、その他の構成及び効果は実施例３と同様であるので説明を割愛し、ここでは、本実施例４の上記特徴部分ついて説明する。
【００４５】
回転手段配設部材３３ｊは、回転台３３よりも小径で所定の厚みを持った円板状に形成され、回転台３３（図１３中、破線の円参照）の下面３３ｂに回転台３３と同軸に備えられる。
なお、本実施例では、回転台３３と回転手段配設部材３３ｊを一体に形成しているが、回転台３３と回転手段配設部材３３ｊとが同軸に備えられ、一体となって回転する限りにおいて、必ずしも外形形状が連続して一体に形成されるものでなくてもよい。
回転手段配設部材３３ｊの周面３３ｄ（実線の円参照）には、前記紐体１０１および紐体１０２よりも僅かに幅広な連続した溝３３ｇが形成されている。さらに、前記回転手段配設部材３３ｊの円心から鉛直方向下向きに突出する回転軸３４を回転手段配設部材３３ｊの下面と一体に設けている。
【００４６】
前記紐体１０１の一端１０１ａおよび紐体１０２の一端１０２ａは、周面３３ｄの一点に設けた紐体固定部３３ｃに固定される。なお、前記紐体固定部３３ｃは、３３ｄを神札収容部４が手前側正面に臨むように回転体３を係止した場合に、前記周面３３ｄの神札収容部４の正面からみて左側９０度の位置に配されている。
【００４７】
さらに、床板２６の上面２６ａには、回転台３３が被される所定の位置に、前記周面３３ａよりも僅かに大径の円形状の凹み２６ｂが形成され、その凹み２６ｂの深さは、前記周面３３ａに形成される溝３３ｂの下側の顎部３３ｈの厚さ（図１４中、厚さ３３ｆ参照）と同じ厚さに形成されている。なお、凹み２６ｂは、その円心に、紐体固定部３３ｃの下面３３ｂの円心に配された回転軸３４を回転可能に差し込んで収容する回転軸用保持穴２７を有している。
そして、前記回転台３３は、前記第２の周面３３ａに形成される溝３３ｂの下側の顎部３３ｈを前記床板２６の凹み２６ｂに嵌めこむようにして回転可能に被される。
【００４８】
外枠２の右段差部２８に備えられるパイプ状の空洞部２８ｆの一端側開口部２８ｄは、右段差部２８の前記回転台３３の周面と対面する切り欠き２８ｂの面上であって、神札収容部４が手前側正面に臨むように回転体３を係止した場合に神札収容部４の正面からみて右側９０度となる位置２８ｄに開口し、パイプ状の空洞部２８ｆの他端側開口部２８ｉは、右側壁２２ａの外面２８ｉに開口しており、他端側開口部２８ｉは、前記一端側開口部２８ｄから右側壁２２ａに向けて直交して水平に延びる仮想線（図示せず）と右側壁２２ａの交点に配されている。さらに、前記空洞部２８ｆは、前記紐体１０１が円滑に通過可能であって把持部１０１ｃが通過できない径に形成されている。
外枠２の左段差部２９に備えられるパイプ状の空洞部２９ｆの一端側開口部２９ｄは、左段差部２９の前記回転台３３の周面と対面する切り欠き２９ｂの面上であって、神札収容部４が手前側正面に臨むように回転体３を係止した場合に神札収容部４の正面からみて左側９０度となる位置２８ｄに開口し、パイプ状の空洞部２９ｆの他端側開口部２９ｉは、左側壁２２ｃの外面２９ｉに開口しており、他端側開口部２９ｉは、前記一端側開口部２９ｄから左側壁２２ｃに向けて直交して水平に延びる仮想線（図示せず）と左側壁２２ｃの交点に配されている。さらに、前記空洞部２９ｆは、前記紐体１０２が円滑に通過可能であって把持部１０２ｃが通過できない径に形成されている。
さらに、紐体１０１および紐体１０２の係止手段としての紐止め２８ｇおよび紐止め２９ｇが、それぞれ、右側壁２２ａおよび左側壁２２ｃの外面に配されている。なお、紐止め２８ｇおよび紐止め２９ｇの形状および構成は、前記実施例３の紐止め２８ｇおよび紐止め２９ｇと同様である。
【００４９】
そして、紐体１０１は、その一端１０１ａが固定された紐体固定部３３ｃから前記回転台３３の第２の周面３３ｄの溝３３ｈに沿って右側へと誘導され、その他端１０１ｂが、右段差部２８の切り欠き２８ｂの空洞部２８ｆを経由して右壁２２ａの外方に位置する。紐体１０２は、その一端１０２ａが固定された紐体固定部３３ｃから前記回転台３３の第２の周面３３ｄの溝３３ｈに沿って左側へと誘導され、その他端１０２ｂが、左段差部２９の切り欠き２９ｂの空洞部２９ｆを経由して左壁２２ｃの外方に位置する。
また、前記紐体１０１の他端１０１ｂには、把持部１０１ｃが備えられ、前記紐体１０２の他端１０２ｂには、把持部１０２ｃが備えられている。
そして、前記紐体１０１の他端１０１ｂは紐止め２８ｇに巻き付けられ、前記紐体１０２の他端１０２ｂは紐止め２９ｇに巻き付けられる。
【００５０】
このような構成では、紐体１０２の把持部１０２ｃを左方に引いた場合には、回転台３３は、紐体１０１を回転台３３の第２の周面３３ｄに形成される溝３３ｂに巻き取りながら左回転（図中矢印Ｇ参照）する。また、紐体１０１の把持部１０１ｃを右方に引いた場合には、回転台３３は、紐体１０２を回転台３３の第２の周面３３ｄに形成される溝３３ｂに巻き取りながら右回転（図中矢印Ｈ参照）する。
例えば、回転体３を神札収容部４が手前側から臨むべく左回転させた場合には、紐体１０１は、回転台３３の第２の周面３３ｄに形成される溝３３ｂに巻き取られ、その他端１０１ｂの把持部１０１ｃが、前記右壁２２ａに当接して、回転体３がさらに左回転することを防止する。そして、紐体１０２の他端１０２ｃを前記紐止め２９ｇに巻きつけて、回転体３の回転を係止する。
このときには、紐体１０２の一端１０２ａが固定された紐体固定部３３ｃと空洞部２９ｆの一端側開口部２９ｄが最短距離で対向することとなり、この位置関係で紐体１０２が係止されることによって、回転台３３の左右回転が確実に係止され、その係止が解かれるまで、回転体３の神札収容部４は手前側から臨む位置に留まる。
同様に、回転体３を本尊収容部５が手前側から臨むべく右回転させた場合には、紐体１０２は、回転台３３の第２の周面３３ｄに形成される溝３３ｂに巻き取られ、その他端１０２ｂの把持部１０２ｃが、前記左壁２２ｃに当接して、回転体３がさらに右回転することを防止する。そして、紐体１０１の他端１０１ｃを前記紐止め２８ｇに巻きつけて、回転体３の回転を係止する。
このときには、紐体１０１の一端１０１ａが固定された紐体固定部３３ｃと空洞部２８ｆの一端側開口部２８ｄが最短距離で対向することとなり、この位置関係で紐体１０１が係止されることによって、回転台３３の左右回転が確実に係止され、その係止が解かれるまで、回転体３の本尊収容部５は手前側から臨む位置に留まる。
（変形例１）
【００５１】
本実施例４による神仏合祀用神仏具１では、右段差部２８に配されるパイプ状の空洞部２８ｆは、神札収容部４の正面からみて右側９０度となる右段差部２８の位置２８ｄと右側壁２２ａの外面２８ｉとを連結して、前記右側９０度方向に配され、左段差部２９に配されるパイプ状の空洞部２９ｆは、神札収容部４の正面からみて左側９０度となる左段差部２９の位置２９ｄと右側壁２２ｃの外面２９ｉとを連結して、前記左側９０度方向に配されているが、前記空洞部２８ｆおよび空洞部２９ｆの配される方向は、前記方向に限定されず、紐体１０１および紐体１０２の把持部１０１ｃおよび把持部１０２ｃを引いて、回転体３３を円滑に回転させることが可能な限りにおいて、どのような方向に向けて配されていても良い。
【００５２】
例えば、図１５に示すように、前記空洞部２８ｆは、神札収容部４の正面からみて右側９０度となる右段差部２８の位置２８ｄの手前側の位置２８ｋと右側壁２２ａの外面２８ｉよりも手前側の位置２８ｍとを連結して、手前側に傾斜する方向に配され、空洞部２９ｆは、神札収容部４の正面からみて左側９０度となる左段差部２９の位置２９ｄの手前側の位置２９ｋと左側壁２２ｃの外面２９ｉよりも手前側の位置２９ｍとを連結して、手前側に傾斜する方向に配されている。
このように配することによって、紐体１０１および紐体１０２の把持部１０１ｃおよび把持部１０２ｃが、手前側に配されることとなって手が届き易くなるとともに、前記空洞部２８ｆ，２９ｆのそれぞれの両端において、紐体１０１，１０２の曲折する角度が緩くなることから、抵抗が減少して、紐体１０１，１０２を円滑に引くことができるようになる。
【実施例５】
【００５３】
前記実施例１乃至実施例３では、回転台３３を回転させる回転手段３０及びその回転を係止する係止手段６０を回転台３３とその周辺の部材で構成しているが、回転手段３０及び係止手段６０は、図示しない電気駆動式のモーターによって回転台３３が回転と係止される構成としても良い。
この場合には、例えば、回転台３３はモーターの回転軸と連結されており、そのモーターの回転軸の回転によって回転台３３が所望の方向に回転し、モーターの回転軸の停止によって回転台３３は所望の位置で係止される。
回転台３３とモーターの回転軸との連結手段は、本実施例４では、モーターの回転軸と回転台３３の回転軸３４を直結する連結方法を採用するが、前記回転台３３の回転と係止が実現される限りにおいてどのような連結方法であっても良い。例えば、回転台３３の外周面の全周にわたって歯を備え、その外周面の歯とモーターの回転軸に備えられたピニオンギヤとが嵌合することによって回転台３３が回転や係止される構成であっても良い。
なお、その他の構成及び効果は実施例１と同様であるので説明を割愛する。
【図面の簡単な説明】
【００５４】
【図１】本考案の実施例１による神仏合祀用神仏具であって、手前側から箱体の神札収納側が臨む正面図。
【図２】本考案の実施例１による神仏合祀用神仏具であって、手前側から箱体の本尊収納側が臨む正面図。
【図３】図１のＡ−Ａ線による縦断右側面図。
【図４】外枠と回転体の位置関係を説明する横断平面図。
【図５】箱体の正面図（神札収納側）。
【図６】箱体の神札収納側の扉を開放した状態を示す正面図。
【図７】箱体の背面図（本尊収納側）。
【図８】箱体の右側面図。
【図９】箱体の左右段差部と回転台との関係を示す説明図。
【図１０】箱体の左右段差部と回転台との関係を示す説明図（回転台回転時）。
【図１１】本考案の実施例２による神仏合祀用神仏具の箱体の左右段差部と回転台との関係を示す説明図。
【図１２】本考案の実施例３による神仏合祀用神仏具の箱体の左右段差部と回転台との関係を示す説明図。
【図１３】本考案の実施例４による神仏合祀用神仏具の箱体の左右段差部と回転台との関係を示す説明図。
【図１４】図１３のＪ−Ｊ線に沿った断面図。
【図１５】実施例４の変形例１による神仏合祀用神仏具の箱体の左右段差部と回転台との関係を示す説明図。
【符号の説明】
【００５５】
１  神仏合祀用神仏具
２  外枠
３  回転体
４  神札収容部
５  本尊収容部
【図１】
0003118943.tif 000003
【図２】
0003118943.tif 000004
【図３】
0003118943.tif 000005
【図４】
0003118943.tif 000006
【図５】
0003118943.tif 000007
【図６】
0003118943.tif 000008
【図７】
0003118943.tif 000009
【図８】
0003118943.tif 000010
【図９】
0003118943.tif 000011
【図１０】
0003118943.tif 000012
【図１１】
0003118943.tif 000013
【図１２】
0003118943.tif 000014
【図１３】
0003118943.tif 000015
【図１４】
0003118943.tif 000016
【図１５】
0003118943.tif 000017